(57)【要約】【課題】扱われる情報の質や量あるいは使用状況に応じて複数の表示画面を有効に活用できる電話機能内蔵携帯情報端末を提供する。【解決手段】電話機能内蔵携帯情報端末は、電話通信機能を有する通信部、各種のメッセージを含む情報を表示する第１表示部および接続部を有する携帯情報端末本体と、各種のメッセージを含む情報を表示する第２表示部を有し、接続部を介して携帯情報端末本体と電気的に接続されたとき、通信部と音声信号の入出力が行われる外部音声入出力部とからなり、さらに、携帯情報端末本体が、接続部に外部音声入出力部が接続されたか否かを検出する接続検出部と、第１表示部および第２表示部の表示を制御する表示制御部とを備え、表示制御部は、外部音声入出力部が接続部に接続されたことを接続検出部が検出したとき、第１表示部に表示する情報の少なくとも一部を第２表示部に表示させる。【選択図】図１
2006094565.tif 000002
【特許請求の範囲】
【請求項１】
電話通信機能を有し、外部のメッセージ配信サーバから差出人および／または件名と本文とを含むメッセージを受信する通信部、受信したメッセージを記憶する記憶部、記憶された前記差出人および／または件名と本文とを含むメッセージを表示する第１表示部および接続部を有する携帯情報端末本体が受信したメッセージに含まれる差出人および／または件名を表示する第２表示部を有するヘッドフォン部と接続されるものであり、
さらに、前記携帯情報端末本体が、前記接続部に前記ヘッドフォン部が接続されたか否かを検出する接続検出部と、前記第１表示部および前記第２表示部の表示を制御する表示制御部とを備え、前記表示制御部は、前記ヘッドフォン部が前記接続部に接続されたことを接続検出部が検出したとき、差出人および／または件名を前記第２表示部に表示させるよう制御することを特徴とする携帯情報端末本体。
【請求項２】
前記ヘッドフォン部が前記接続部に接続されたとき、前記第１表示部に表示された前記メッセージを消去し、前記差出人および／または件名を前記第２表示部に表示させるよう制御することを特徴とする請求項１に記載の携帯情報端末本体。
【請求項３】
携帯情報端末本体が、少なくとも１つのキーからなる第１操作キーと、第１操作キーが押されたことを検出する第１キー検出部とをさらに備え、
前記表示制御部は、前記ヘッドフォン部が前記接続部に接続された状態で前記通信部が外部からメッセージを受信したとき、受信したメッセージに含まれる差出人および／または件名を前記第２表示部に表示し、その後、前記第１操作キーが押されたことを前記第１キー検出部が検出したとき、前記受信したメッセージの本文を前記第１表示部に表示させるよう制御する請求項１に記載の携帯情報端末本体。
【請求項４】
前記ヘッドフォン部が、少なくとも１つのキーからなる第２操作キーと、第２操作キーが押されたことを検出する第２キー検出部とをさらに備え、
前記表示制御部は、前記第２操作キーが押されたことを前記第２キー検出部が検出したとき、前記第１表示部に表示するメッセージの少なくとも一部を前記第２表示部に表示させるよう制御する請求項１〜３の何れか一つに記載の電話機能内蔵携帯情報端末。
【発明の詳細な説明】
【技術分野】
【０００１】
この発明は電話機能内蔵携帯情報端末に関し、特に複数の表示部を有する電話機能内蔵携帯情報端末に関する。
【背景技術】
【０００２】
下記特許文献１、特許文献２および特許文献３には、第１の表示画面を有するコンピュータ等の情報機器本体を、第２の表示画面を有するリモートコントローラで操作する装置等が開示されている。
これらの例では、機器本体の第１の表示装置および遠隔操作用の第２の表示装置を備えているが、用途および情報の内容に応じて表示の切り換えを任意に行うことができなかった。
【０００３】
また、下記特許文献４には、二つの表示領域を有し、第１の表示領域には、ファンクションキーとダイヤルキー、情報量の多いデータやメッセージなどを表示し、第２の表示領域には、受信感度、入力操作されたキーおよびメッセージなどを表示する装置が開示されている。
上記した従来技術では、第１の表示領域には情報量の多いデータやメッセージなどを表示するが、第２の表示領域には受信感度やキー表示などの情報量の少ないデータだけを表示するので、その用途が限定されていた。
【特許文献１】特開平５−６２２８９号公報
【特許文献２】特開２００１−５５６５号公報
【特許文献３】特開２００１−５５９４号公報
【特許文献４】特開平９−２４７２５０号公報
【発明の開示】
【発明が解決しようとする課題】
【０００４】
この発明は、上記の問題点に鑑みてなされたものであり、扱われる情報の質や量あるいは使用状況に応じて複数の表示画面を有効に活用できる電話機能内蔵携帯情報端末を提供することを目的とする。
【課題を解決するための手段】
【０００５】
この発明によれば、電話通信機能を有する通信部、各種のメッセージを含む情報を表示する第１表示部および接続部を有する携帯情報端末本体と、各種のメッセージを含む情報を表示する第２表示部を有し、接続部を介して携帯情報端末本体と電気的に接続されたとき、通信部と音声信号の入出力が行われる外部音声入出力部とからなり、さらに、携帯情報端末本体が、接続部に外部音声入出力部が接続されたか否かを検出する接続検出部と、第１表示部および第２表示部の表示を制御する表示制御部とを備え、表示制御部は、外部音声入出力部が接続部に接続されたことを接続検出部が検出したとき、第１表示部に表示する情報の少なくとも一部を第２表示部に表示させることを特徴とする電話機能内蔵携帯情報端末が提供される。
【０００６】
すなわち、第１表示部に表示されている情報の内容に応じて、その情報の一部または全部を第２表示部に自動的に表示することができるので、第２表示部を第１表示部から離して配置する場合に、ユーザがより効率的に情報を収集・活用することができる。
また、携帯情報端末本体側で重複する不要な表示が行われないので、消費電力を抑えることができる。
【０００７】
この発明の電話機能内蔵携帯情報端末本体は、電話通信機能を有する通信部と、発信モード、着信モード、通話モードおよび待機モードを含む通信モードを所定の手順に基づいて通信部に設定する通信モード設定部と、通信部が着信信号を受信したことを検出する着信検出部と、外部と通信部との間で音声信号の入出力を行う音声入出力部（スピーカおよびマイクロフォン）と、通信部に接続され、外部音声入出力部を着脱可能に接続する接続部と、外部音声入出力部が接続部に接続されたか否かを検出する接続検出部と、各種のメッセージを含む情報を画像表示する第１表示部と、通話ダイヤルを含む操作キーとを備えた携帯電話装置が挙げられる。
【０００８】
表示部は、ＬＣＤ（液晶ディスプレー）、ＥＬＤ（エレクトロルミネッセンスディスプレー）およびＬＥＤ（発光ダイオード）などを用いることができる。
接続部は、プラグ・ジャック等の着脱が簡単な機構が好ましい。
接続検出部は、外部音声入出力部が接続部に接続されたとき、表示制御部に電気信号を送る構成を有し、例えばプラグ・ジャック形式の接続部においては、プラグに対するジャックの挿抜によって接点が開閉するスイッチが挙げられる。
【０００９】
この発明における外部音声入出力部は、携行と取扱いが容易なヘッドフォン形態のものが好ましい。このような外部音声入出力部としては、プラグ・ジャック形式の接続部に接続可能なジャック付きケーブルと、このケーブルに接続されたスピーカ（例えば、イヤフォン）と、小型マイクロフォンと、各種のメッセージを含む情報を画像表示する第２表示部（例えば、ＬＣＤ）とを備えたヘッドフォンが挙げられる。
【００１０】
この発明の携帯情報端末は、入出力等の動作制御や演算処理等を実行するＣＰＵを備えることにより、電話機能以外の電卓機能や住所録、スケジュールを含む各種情報処理機能などをプログラムによって実行するよう構成してもよい。
この発明の携帯情報端末は、ラジオ、ＭＤなどを内蔵することにより、電話通信機能に放送受信機能、録音／再生機能を付加することができる。
さらに、ＧＰＳやＰＨＳなどとの通信により現在地の座標データ（経緯度データ）を得る通信部を内蔵することにより、携帯電話にパーソナルナビゲーション機能を付加することができる。
【００１１】
表示制御部は、外部音声入出力部が接続部に接続されたとき、第１表示部に表示する情報を消去し、消去された情報を第２表示部に表示する。
このとき、第１表示部に表示され、消去されて第２表示部に表示される情報としては、電池残量および受信電波強度に関する情報や音楽の曲名、歌手および歌詞に関する情報が挙げられる。
【００１２】
携帯情報端末本体が、少なくとも１つのキーからなる第１操作キーと、第１操作キーが押されたことを検出する第１キー検出部とをさらに備え、表示制御部は、外部音声入出力部が接続部に接続された状態で通信部が外部から情報を受信したとき、受信した情報の一部を第２表示部に表示し、その後、第１操作キーが押されたことを第１キー検出部が検出したとき、前記受信情報の残部を第１表示部に表示するので、ユーザが第２表示部に表示される受信情報の残部を確認することを望まない場合には、電力の消費を抑えることができる。
【００１３】
上記のような受信情報の一部とその残部としては、電子メール情報を受信した際の電子メール情報の差出人および／または件名等と、電子メール情報の内容、すなわち、メッセージ文が挙げられる。また、株式情報を受信した際の受信情報の一部とその残部としては、指定銘柄の株価と、前記指定銘柄の詳細情報が挙げられる。
さらに、ナビゲーション情報を受信した際の受信情報の一部とその残部としては、現在地の位置座標または地名の情報と、周辺の地図情報が挙げられる。
この発明の携帯情報端末は、外部音声入出力部が、少なくとも１つのキーからなる第２操作キーと、第２操作キーが押されたことを検出する第２キー検出部とをさらに備え、表示制御部は、第２操作キーが押されたことを第２キー検出部が検出したとき、第１表示部に表示する情報の少なくとも一部を第２表示部に表示するので、携帯情報端末本体の操作キーを操作しなくても外部音声入出力部の第２操作キーで必要な情報を得ることができる。
【発明の効果】
【００１４】
この発明では、第１表示部に表示されている情報の内容に応じて、その情報の一部または全部を第２表示部に自動的に表示することができるので、第２表示部を第１表示部から離して配置する場合に、ユーザがより効率的に情報を収集・活用することができる。
また、携帯情報端末本体側で重複する不要な表示が行われないので、消費電力を抑えることができる。
この発明では、扱われる情報の質や量あるいは使用状況に応じて複数の表示画面を有効に活用できる電話機能内蔵携帯情報端末を提供できる。
【発明を実施するための最良の形態】
【００１５】
以下、図面に基づいてこの発明の実施の形態を説明するが、これらによってこの発明は限定されるものではない。
図１は、この発明の実施の一形態による電話機能内蔵携帯情報端末の正面図である。
【００１６】
電話機能内蔵携帯情報端末２０（以下、携帯情報端末２０と称する）は、携帯電話内蔵携帯情報端末本体１（以下、端末本体１と称する）および外部音声入出力部としてのヘッドフォン２から構成される。
端末本体１には、第１操作キー３、第１表示部４、ダイヤルキー５、アンテナ６およびプラグ１２の他に図示しないスピーカおよびマイクロフォンが配設されている。
【００１７】
ダイヤルキー５は、各種操作を行うための入力部であり、電源キー、電話の発信操作（発呼操作）を行う発信キー、電話の発信時、電話番号を入力するための数字・記号キーを含むキーボードで構成されている。
ヘッドフォン２は、イヤフォン型のスピーカ７、小型マイクロフォン８、第２表示部９、第２操作キー１０およびプラグ１２に挿入され端末本体１と電気的な接続が可能なジャック１１から構成されている。
【００１８】
ここで、第１表示部４および第２表示部９は、ＬＣＤドライバーを有するＬＣＤで構成される。
端末本体１の第１操作キー３およびヘッドフォン２の第２操作キー１０で第１表示部４および第２表示部９の画面表示を操作することができる。
携帯情報端末２０は、携帯電話機能に、ラジオ放送受信機能およびＧＰＳとの通信により現在地の座標データ（経緯度データ）を得る通信部を内蔵したパーソナルナビゲーション機能が付加されている。
【００１９】
図２は、接続部を構成する端末本体１のプラグ１２とヘッドフォン２のジャック１１の接続の方法を示す。ジャック１１の先端はプラグ１２に対して挿抜可能に接続される。
図３および図４は、プラグ１２とジャック１１との電気的接続を検出する機構を示す。
図３において、プラグ１２は、挿入孔部２１と、一端が挿入孔部２１内に入出可能に配設された可動片２２と、可動片２２と接点２５を形成する固定片２３とから構成されている。
プラグ１２が挿入孔部２１に挿入されると、図４に示すように、接点２５が開き、電気信号が後記の表示制御部に伝達される。
なお、プラグ１２とジャック１１は、上記の電気的接続を検出する機構を有する接点２５の他に、図示しない複数の接点を有し、これらの接点を介して端末本体１とヘッドフォン２との間で電力供給および信号の伝送が行われる。
図５は、ヘッドフォン２が端末本体１に接続された際の携帯情報端末２０を示す。
【００２０】
図６は、携帯情報端末２０のブロック図である。
図６において、ＣＰＵ５１は、携帯電話機能、ラジオ放送受信機能およびナビゲーション機能の各機能を実現するための演算処理部である。ＲＯＭ５２は、プログラムなどの読み出し専用のデータを格納する領域であり、ＲＡＭ５３は、電話番号やメッセージなどの更新可能なデータを格納する領域である。
【００２１】
音声入出力制御部５４は、マイク８から入力された音声情報の制御やスピーカ７への音声情報出力の制御を行う。通信制御部５７は、電話機能内蔵携帯情報端末で必要となる通信機能の制御を行い、かつアンテナ６を経由して各種のサーバ等に接続される基地局６５との通信を行う。
表示制御部５９は、第１表示部４および第２表示部９への表示および表示の切り換えを制御するとともに、これらの表示部４、９の電源のＯＦＦ  動作などを行う。
操作制御部６２は、第１操作キー３、ダイヤルキー５などの入力を制御し、ユーザからの入力を検出する。
【００２２】
携帯情報端末２０を用いて通常の通話の操作を行う場合には、図１に示すように、ヘッドフォン２を端末本体１に接続しない状態で使用する。この場合、第１表示部４とダイヤルキー５とを用いた送受信の操作が可能である。
電話の待ち受け状態（以下、「通話待ち受け時」と称する）では、第１表示部４に、端末本体１の電池残量および受信電波強度等の情報が表示される。
携帯情報端末２０を用いて通話を行う場合あるいは音楽を聴く場合には、図５に示すように、ヘッドフォン２を端末本体１に接続した状態で使用する。
【００２３】
上記のようにヘッドフォン２が端末本体１に接続されたとき、第１表示部４に表示されていた電池残量および受信電波強度等の機器使用情報が、第２表示部９に自動的に表示される。このとき、第１表示部４に表示されていた機器使用情報は、表示画面４上で一旦消される。ただし、操作ボタン３を操作することにより、第１表示部４に全ての情報を表示させることができる。
また、ユーザが端末本体１をポケットなどに入れて携帯情報端末２０を携行する際、ヘッドフォン２の第２操作キー１０を操作すれば、第２表示部９に対する操作を行うことができる。
【００２４】
携帯情報端末２０における、端末本体１にヘッドフォン２を接続して行う表示内容の更新手順および通話待ち受け時の第１表示部４と第２表示部９の表示内容の更新手順を以下に例示する。
図７は、端末本体１にヘッドフォン２を接続したときに、メッセージを受信する際のフローチャートである。
【００２５】
まず、端末本体１にヘッドフォン２が接続される場合について説明する。
通話待ち受け時（ステップＳ１）には、図１に示すように第１表示部４に電池残量、受信電波強度等の情報を表示する（ステップＳ２）。
ユーザが通話を行うために端末本体１にヘッドフォン２を接続すると（ステップＳ３）、図４に示した様に、挿入孔部２１に挿入されたジャック１１によって、可動片２２と可固定片２３の接点２５が開き、ヘッドフォン２が接続されたことを検出する（ステップＳ４）。
この接続検出信号に基づいて表示制御部５９は、図１に示すように、第１表示部４に表示されていた前記の情報を消し、図５に示すように、第２表示部９に前記情報を表示する（ステップＳ５）。
【００２６】
ユーザがネットワーク経由などで音楽を端末本体１で受信し、ヘッドフォン２からその音楽を聴くためにヘッドフォン２が接続されると、上記と同様に、接続検出信号に基づいて表示制御部５９は、第１表示部４に表示されていた曲名や歌手、歌詞などの音楽情報を消し、図８に示すように、第２表示部９に前記の音楽情報を表示する。
【００２７】
次に、ヘッドフォン２が接続された状態でメッセージを受信する場合について示す。メッセージを蓄積および配信するサーバ（以下、「メッセージ配信サーバ」と称する）は、ユーザヘのメッセージが配送されてくると、自動的に携帯情報端末２０に対してそのメッセージを送信する。
【００２８】
通信制御部５７によってメッセージ配信サーバとの通信経路が確立されると、メッセージ配信サーバから上記メッセージが送信され、そのメッセージを受信する（ステップＳ６）。
この時点で、第２表示部９に対して、図９に示すように、受信メッセージが存在することを表示させることが可能である。
【００２９】
受信したメッセージは、一旦、ＲＡＭ５３に書き込まれる。
図１０は着信したメッセージの一例を示す。図１０に示すように、このメッセージは、主にヘッダ領域７１と本文領域７２とから構成されており、さらにヘッダ領域７１には差出人や件名、日付などが含まれる。
ＣＰＵ５１は、ＲＡＭ５３に格納された受信メッセージを解析し（ステップＳ７）、これらを各要素に分割して、ヘッダ領域７１の差出人、件名あるいは日付などのヘッダ情報や、本文領域７２のデータ格納位置をＲＡＭ５３に書き込む（ステップＳ８）。
【００３０】
さらに、受信メッセージに関する情報（以下、「メッセージ受信情報」と称する）を第２表示部９に表示するために、以前にユーザが設定した表示内容に関する設定情報を取得し、その情報に基づいて表示に必要な情報を取得し、その情報の整形を行う（ステップＳ９）。
その際、ヘッダ領域７１の差出人のメールアドレス７３から名前を検索する必要があるかもしれない。その場合には、ＲＡＭ５３に格納されているアドレス情報データベースから検索を行う。アドレス情報データベースの一例を図１１に示す。
【００３１】
前記情報の整形が終わると、第２表示部９に対してメッセージ受信情報の表示を行う（ステップＳ１０）。
ユーザが着信メッセージの差出人と件名を第２表示部９に表示するように予め設定していた場合には、例えば図１２に示すように、メッセージの差出人８１と件名８２を第２表示部９に表示することになる。
ここで、ユーザが第１操作キー３によりキー入力を行うと（ステップＳ１１）、例えば図１３に示すように、第１表示部４に前記メッセージの本文が表示される（ステップＳ１２およびステップＳ１３）。
【００３２】
同様に、通話待ち受け時には、プッシュダウンスタック形式のメッセージとして基地局６５から株価情報が自動的に送信される。その場合、送信されてきた株価情報からインデックス形式の簡単な情報（銘柄の速報値）と詳細な情報（各種指標、グラフ）を抽出してＲＡＭ５３に書き込み、さらに、簡単な情報、例えば図１４に示すように、銘柄名と現在の株価を第２表示部９に表示する。
ユーザが詳細な株価情報を所望する場合には、第１操作キー３を操作して第１表示部４を立ち上げることにより、例えば図１５に示すように、選択された指定銘柄の詳細な情報をＲＡＭ５３から読み出して第１表示部４に表示することができる。
【００３３】
携帯情報端末本体１が、ヘッドフォン２が接続された状態でＧＰＳによる位置情報を基地局６５から受信した際に、第２表示部９にＧＰＳにより受信した座標や地名の情報を表示し、携帯情報端末本体１の特定のキーが押されたことを検出することにより、第１表示部４に周辺の地図の情報を表示することができる。
例えば図１６に示すように、ＧＰＳにより得られた位置情報（緯度、経度の座標や地名などの情報）を第２表示部９に表示する。
この例では、得られた位置情報を利用してナビゲーションシステムを携帯情報端末２０に構築する場合を説明する。
まず、ユーザが目的地を入力あるいは選択する。携帯情報端末２０はその通信機能を利用し、ネットワーク経由で目的地までの経路を検索するサーバ（以下、「経路検索サーバ」と称する）に対して、目的地までの経路情報送信要求を行う。
【００３４】
経路検索サーバでは、携帯情報端末２０から送信されてきたメッセージに基づいて現在地と目的地を抽出し、目的地までの経路の検索を行う。検索した結果として、目的地までの経路で右折や左折などの行動をおこすべきポイント（以下、「行動ポイント」と称する）や現在地周辺の地図などを携帯情報端末２０に送信する。そのメッセージを受けた携帯情報端末２０は、行動ポイントを含む経路情報と地図をＲＡＭ５３に書き込み、第２表示部９に経路情報を表示する。
表示される経路情報としては、例えば、「次の信号を右折」あるいは「１ｋｍ先を左折」のような情報が挙げられる。
【００３５】
次いで、行動ポイントまでの距離とそのときの行動について表示を行う。
ここで、ユーザが第２表示部９に表示された情報だけでは情報が不足していると感じた場合には、第１操作キー３を押すことにより、経路情報を第２表示部９に表示した状態で第１表示部４に現在地周辺の地図を表示する。
図１７は、第１表示部４に表示された現在地周辺の地図の一例を示す。
【００３６】
さらに、ユーザが移動している場合にはナビゲーションシステムにおける現在地は常に移動するので、携帯情報端末２０はその通信機能を利用して随時、例えば定期的に、経路検索サーバへ接続し、現在地周辺の地図を更新する。
また、ユーザが縮尺の異なる地図などの、より広範囲な情報を必要とする場合には、前記と同様に通信機能を利用して上記の広範囲な情報を経路検索サーバから取得し、第１表示部４または第２表示部９などに表示させることができる。
【００３７】
前記の実施の形態で示したように、携帯情報端末２０では、基本的に第１表示部４を主にして情報を表示し、ユーザの必要に応じてキー操作等を行うことにより、ユーザはより効率的に情報を収集・活用することができる。
また、第１表示部４と第２表示部９は、重複するような不要な表示や、小さい表示画面に対して大量の情報の表示が行われないよう構成されているので、消費電力を抑えることができるとともに、使用状況に応じて必要な情報だけを迅速に提供することができる。
【図面の簡単な説明】
【００３８】
【図１】この発明の実施の一形態による電話機能内蔵携帯情報端末の正面図である。
【図２】図１の端末本体とヘッドフォンの接続部を示す斜視図である。
【図３】図１の端末本体内のヘッドフォンとの接続部を示す断面図である。
【図４】図３の接続部にヘッドフォンを接続した状態を示す断面図である。
【図５】図１の端末本体にヘッドフォンを接続した状態を示す図である。
【図６】図１の携帯情報端末の制御ブロック図である。
【図７】端末本体にヘッドフォンを接続した状態でメッセージを着信したときのフローチャートである。
【図８】この発明の携帯情報端末に音楽情報を表示した際に第２表示部に表示されるメッセージの一例である。
【図９】この発明の携帯情報端末でメッセージを受信した際に第２表示部に表示される情報の一例である。
【図１０】図９のメッセージを表示したときに、第１表示部に表示される情報の一例である。
【図１１】この発明の携帯情報端末でメッセージを受信した際に表示画面に表示される差出人検索用アドレス情報データベースの一例である。
【図１２】この発明の携帯情報端末でメッセージを受信した際に第２表示部に表示される情報の一例である。
【図１３】図１２の情報を表示したときに、第１表示部に表示されるメッセージの一例である。
【図１４】この発明の携帯情報端末で株価情報を受信した際に第２表示部に表示される情報の一例である。
【図１５】図１４の情報を表示したときに、第１表示部に表示される株価詳細情報の一例である。
【図１６】この発明の携帯情報端末でＧＰＳに基づく位置情報を受信した際に第２表示部に表示される情報の一例である。
【図１７】図１６の情報を表示したときに、第１表示部に表示される周辺地図情報の一例である。
【符号の説明】
【００３９】
１    端末本体（携帯電話内蔵携帯情報端末本体）
２    ヘッドフォン（外部音声入出力部）
３    第１操作キー
４    第１表示部
５    ダイヤルキー
６    アンテナ
７    スピーカ
８    マイク
９    第２表示部
１０    第２操作キー
１１    ジャック
１２    プラグ（接続部）
２０    携帯情報端末（電話機能内蔵携帯情報端末）
【図１】
2006094565.tif 000003
【図２】
2006094565.tif 000004
【図３】
2006094565.tif 000005
【図４】
2006094565.tif 000006
【図５】
2006094565.tif 000007
【図６】
2006094565.tif 000008
【図７】
2006094565.tif 000009
【図８】
2006094565.tif 000010
【図９】
2006094565.tif 000011
【図１０】
2006094565.tif 000012
【図１１】
2006094565.tif 000013
【図１２】
2006094565.tif 000014
【図１３】
2006094565.tif 000015
【図１４】
2006094565.tif 000016
【図１５】
2006094565.tif 000017
【図１６】
2006094565.tif 000018
【図１７】
2006094565.tif 000019